(57)【要約】【課題】複数回にわたって再封緘および開封が可能であり、その作業が容易な包装箱を提供する。【解決手段】四方を囲繞する側壁１０Ａ〜１０Ｄにおける上下端縁の少なくとも一方に、第１フラップ１３を対向する側壁１０Ｂ，１０Ｄに連設するとともに、第２フラップ１４を他の対向する側壁１０Ａ，１０Ｃに連設した包装箱において、第１フラップ１３の少なくとも一側縁を、連続する側壁１０との境界線に対するなす角αが９０度未満となる傾斜辺１９とする一方、第２フラップ１４に、組立状態で傾斜辺１９と略一致して略同一方向に延びる罫線２０と、罫線２０上の中間部分に位置し傾斜辺１９を越えて第１フラップ１３の上面または下面に向けて外向きに延びる舌状係止片２４とを設けた構成とする。【選択図】図１
2005225509.tif 000002
【特許請求の範囲】
【請求項１】
四方を囲繞する側壁における上下端縁の少なくとも一方に、第１フラップを対向する側壁に連設するとともに、第２フラップを他の対向する側壁に連設した包装箱において、
前記第１フラップの少なくとも一側縁を、連続する側壁との境界線に対するなす角が９０度未満となる傾斜辺とする一方、
前記第２フラップに、組立状態で前記傾斜辺と略一致して略同一方向に延びる罫線と、該罫線上の中間部分に位置し前記傾斜辺を越えて第１フラップの上面または下面に向けて外向きに延びる舌状係止片とを設けたことを特徴とする包装箱。
【発明の詳細な説明】
【技術分野】
【０００１】
本発明は、テープ止めすることなく再封緘可能な包装箱に関するものである。
【背景技術】
【０００２】
本発明の包装箱に関連する先行技術文献情報としては次のものがある。
【０００３】
【特許文献１】特開２００２−１９３２４０号公報
【０００４】
この特許文献１に記載の包装箱は、四方を囲繞する側壁の上端縁に、それぞれ対向する矩形状の内フラップと外フラップとが連設されている。そして、内フラップには、ハの字状をなすように一対の係合穴が設けられている。また、外フラップには、組立状態で前記係合穴の外側に平行に位置する罫線が設けられるとともに、該罫線を境界とした外側縁に差込部が設けられている。さらに、外フラップには、前記罫線の略中央位置に、罫線に沿う位置が離間し、対向する位置が連続部分となるように内向きに延びる切起ロック片が形成されている。
【０００５】
このように形成した包装箱は、まず、対向する内フラップを側壁に対して折り曲げる。ついで、外フラップを折り曲げながら、両側の罫線に沿って角部分を折り曲げて、先端の差込部を内フラップの係合穴に差し込む。その後、前記係合穴を通して切起ロック片を内フラップ内に押し込むことにより、該切起ロック片を内フラップの内面に係止させる。
【０００６】
また、この包装箱を開封する場合には、前記切起ロック片と内フラップの係合穴とのロックを解除した後、差込部を係合穴から引き抜くようにして、外フラップを開いた後、内フラップを開く。
【発明の開示】
【発明が解決しようとする課題】
【０００７】
しかしながら、前記包装箱では、再封緘作業（手順）が非常に面倒であり、ユーザが理解し難いうえ、特に、開封作業が面倒である。具体的には、この包装箱では、内フラップの係合穴から内部に外フラップの差込部を差し込んでいるため、切起ロック片と係合穴とのロックを解除する際には、罫線に沿って外側のロック領域を折り曲げることはできない。そのため、一対の外フラップの先端が互いに近接する方向である内向きにスライドさせる必要がある。しかし、この外フラップの内側稜部には、内フラップの縁が位置しているため、その作業は非常に困難である。しかも、この作業をぞんざいに行うと切起ロック片の腰が弱くなるばかりか、最悪の場合には破断する虞がある。
【０００８】
そこで、本発明では、複数回にわたって再封緘および開封が可能であり、その作業が容易な包装箱を提供することを課題とするものである。
【課題を解決するための手段】
【０００９】
前記課題を解決するため、本発明の包装箱は、四方を囲繞する側壁における上下端縁の少なくとも一方に、第１フラップを対向する側壁に連設するとともに、第２フラップを他の対向する側壁に連設した包装箱において、前記第１フラップの少なくとも一側縁を、連続する側壁との境界線に対するなす角が９０度未満となる傾斜辺とする一方、前記第２フラップに、組立状態で前記傾斜辺と略一致して略同一方向に延びる罫線と、該罫線上の中間部分に位置し前記傾斜辺を越えて第１フラップの上面または下面に向けて外向きに延びる舌状係止片とを設けた構成としている。
【発明の効果】
【００１０】
本発明の包装箱では、第１，第２フラップにより開口を再封緘する場合、一方の第１フラップを折り曲げた後、傾斜辺を設けていない側に隣接する第２フラップを折り曲げる。ついで、隣接する他方の第１フラップを折り曲げた後、残りの第２フラップを折り曲げ、罫線により区画された重畳部を最初に折り曲げた第１フラップの傾斜辺から下側に差し込む。これにより、一般的に行われている風車方式の形態で、隙間なく簡単に再封緘することができる。また、この再封緘状態の包装箱を開封する場合、一方の第２フラップから逆向きに順次開くことにより、舌状係止片の腰を弱めることなく、簡単に開封できる。
【００１１】
または、一対の第２フラップを折り曲げた後、その上に重畳するように一対の第１フラップを折り曲げる。ついで、第１フラップの傾斜辺を第２フラップに向けて押圧することにより、第１フラップの傾斜辺の一部を第２フラップの舌状係止片の下側に位置させる。これにより、隙間なく簡単に再封緘することができる。この再封緘状態の包装箱を開封する場合、上側に位置する一対の第２フラップを開いて舌状係止片と傾斜辺とのロックを解除した後、一対の第１フラップを開くことにより、舌状係止片の腰を弱めることなく、簡単に開封できる。
【００１２】
または、一対の第１フラップを折り曲げた後、その上に重畳するように一対の第２フラップを折り曲げる。ついで、第２フラップの舌状係止片を第１フラップに向けて押圧することにより、舌状係止片を第１フラップの傾斜辺の下側に位置させる。これにより、隙間なく簡単に再封緘することができる。この再封緘状態の包装箱を開封する場合、上側に位置する一対の第１フラップを開いて舌状係止片と傾斜辺とのロックを解除した後、一対の第２フラップを開くことにより、舌状係止片の腰を弱めることなく、簡単に開封できる。
【００１３】
このように、本発明の包装箱によれば、ユーザの希望に応じて種々の形態で、隙間なく簡単に再封緘できるうえ、開封作業も非常に簡単である。そのため、舌状係止片などの腰を弱めることを抑制でき、複数回にわたって再封緘および開封が可能である。
【発明を実施するための最良の形態】
【００１４】
以下、本発明の実施の形態を図面に従って説明する。
【００１５】
図１から図６は、本発明の実施形態に係る包装箱を示す。この包装箱は、図１（Ａ），（Ｂ）に示すように、四方を囲繞する側壁１０Ａ〜１０Ｄにおける上下端縁に、天蓋および底蓋を構成するフラップ１３，１４，１６，１７をそれぞれ連設し、天壁を構成する第１，第２フラップ１３，１４を、簡単に再封緘および開封可能な構造としたものである。
【００１６】
具体的には、前記包装箱は、表紙および裏紙の間に波状の中しんを配設した周知の段ボール紙を、図示しない周知の紙器打抜装置により連続した一枚のブランクとして打ち抜いて形成されている。
【００１７】
この包装箱のブランクは、図２に示すように、横方向に連続する４枚の側壁１０Ａ，１０Ｂ，１０Ｃ，１０Ｄを備え、その一端の側壁１０Ａに、他端の側壁１０Ｄの側縁と貼着するための糊代部１１を設けたものである。これら側壁１０Ａ〜１０Ｄおよび糊代部１１の境界部分には、それぞれ肉厚を圧縮するように罫を入れて形成した折曲線１２が設けられている。
【００１８】
前記側壁１０Ａ〜１０Ｄの上端縁には、対向する短尺な側壁１０Ｂ，１０Ｄに一対の第１フラップ１３が連設されるとともに、他の対向する長尺な側壁１０Ａ，１０Ｃに一対の第２フラップ１４が連設されている。これらフラップ１３，１４は、側壁１０Ａ〜１０Ｄにより囲繞された上端開口を閉塞する天蓋を構成するもので、連続した側壁１０Ａ〜１０Ｄの境界線部分には、前記と同様の折曲線１５が設けられている。
【００１９】
また、側壁１０Ａ〜１０Ｄの下端縁には、対向する短尺な側壁１０Ｂ，１０Ｄに一対の内フラップ１６が連設されるとともに、他の対向する長尺な側壁１０Ａ，１０Ｃに一対の外フラップ１７が連設されている。これらフラップ１６，１７は、側壁１０Ａ〜１０Ｄにより囲繞された下端開口を閉塞する底蓋を構成するもので、連続した側壁１０Ａ〜１０Ｄの境界線部分には折曲線１８が設けられている。
【００２０】
前記第１フラップ１３，１３および内フラップ１６，１６は、互いの先端が突き合わない寸法で形成されている。また、第２フラップ１４，１４および外フラップ１７，１７は、互いの先端が突き合う寸法で形成されている。さらに、第１フラップ１３と第２フラップ１４との突出寸法、および、内フラップ１６と外フラップ１７との突出寸法は、同一であり、その先端が直線的に一致するように構成している。しかも、これらと側壁１０Ａ〜１０Ｄとの間に設けた折曲線１５，１８は、それぞれ直線的に一致するように構成している。これにより、高価なダイカッター方式ではなく、フレキソグルアなどの汎用加工機による製造を可能とし、生産コストの削減および生産効率の向上を図っている。
【００２１】
本実施形態では、天蓋を構成する第１フラップ１３は、その一（左）側縁を連続する側壁１０Ｂ，１０Ｄとの境界部分隅から他（右）側に向けて傾斜する傾斜辺１９としている。また、第２フラップ１４には、組立状態で前記傾斜辺１９と一致する側に、前記傾斜辺１９と略同一方向に延びる罫線２０と、該罫線２０上の中間部分に位置する舌状係止片２４とが設けられている。具体的には、前記罫線２０は、前記と同様に肉厚を圧縮するように罫を入れて形成した折曲線２１と、該折曲線２１の中央に形成した切断線２２とからなる一対のリード罫により構成し、その間に前記舌状係止片２４を形成することにより、罫線２０上の中間部分に舌状係止片２４を形成している。この罫線２０で区画された外側領域は、組立状態で隣接する第１フラップ１３に重畳する重畳部２３となる。前記舌状係止片２４は、組立状態で隣接する第１フラップ１３の傾斜辺１９を越えて、該第１フラップ１３の上面または下面に向けて外向きに延びるもので、罫線２０，２０の端部間である中央から重畳部２３内に延びるように略凹状の切断線２５を設けることにより形成される。
【００２２】
ここで、前記傾斜辺１９は、第１フラップ１３が連続する側壁１０Ｂ，１０Ｄとの境界線である折曲線１５とのなす角αが９０度未満となるように形成されている。更に具体的には、長尺な側壁１０Ａ，１０Ｃの幅と、短尺な側壁１０Ｂ，１０Ｄの幅の比にもよるが、前記傾斜辺１９は、折曲線１５とのなす角αが、３０度以上で６０度以下となるように形成することが好ましい。ここで、なす角αを３０度以下にすると、第１フラップ１３の占有面積が少なくなり、封緘状態の剛性が低下するためである。また、なす角αを６０度以上で形成すると、第２フラップ１４に形成する舌状係止片２４の突出量が小さくなり、第１フラップ１３の傾斜辺１９との係止力が低下するとともに、第１フラップ１３の上面または下面に重畳させる重畳部２３の面積が少なくなり、封緘状態を確実に維持できなくなるためである。そして、本実施形態では、なす角αは、これらの問題が生じる可能性が最も少ない４５度としている。
【００２３】
このように構成した包装箱は、底蓋を構成する内フラップ１６を側壁１０Ｂ，１０Ｄに対して折り曲げる。その後、外フラップ１７を側壁１０Ａ，１０Ｃに対して折り曲げ、外フラップ１７の突き合わさった先端部分を粘着テープにより貼着する。
【００２４】
そして、開放した上端開口から所定の商品を収容させた後、天蓋を構成する第１フラップ１３を側壁１０Ｂ，１０Ｄに対して折り曲げる。その後、第２フラップ１４を側壁１０Ａ，１０Ｃに対して折り曲げ、第２フラップ１４の突き合わさった先端部分を粘着テープで貼着し、輸送箱として使用する。
【００２５】
この商品を収容した包装箱を受け取ったユーザは、第２フラップ１４を貼着した粘着テープを剥ぎ取った後、内部の商品を取り出す。そして、内部に商品が残った状態で、上端開口を再封緘する場合には、図３（Ａ）に示すように、まず、一方（図中右側）の第１フラップ１３を折り曲げた後、傾斜辺１９を設けていない側に隣接する第２フラップ１４を折り曲げる。
【００２６】
ついで、図３（Ｂ）に示すように、隣接する他方の第１フラップ１３を折り曲げる。この際、折り曲げた第１フラップ１３の傾斜辺１９を第２フラップ１４に向けて押圧し、該第２フラップ１４の舌状係止片２４が傾斜辺１９を越えて第１フラップ１３の上面に位置するようにする。その後、残りの第２フラップ１４を折り曲げ、罫線２０により区画された重畳部２３を最初に折り曲げた第１フラップ１３の傾斜辺１９から下側に差し込み、舌状係止片２４は第１フラップ１３の上側に位置させる。
【００２７】
これにより、再封緘構造が形成されていない包装箱において、一般的に行われ、慣れ親しんだ風車方式の折り曲げ形態で、隙間なく簡単に再封緘することができる。
【００２８】
また、この再封緘状態の包装箱を開封する場合、一方の第２フラップ１４から逆向きに順次開くことにより、舌状係止片２４の腰を弱めることなく、簡単に開封できる。
【００２９】
なお、本実施形態の包装箱は、前記再封緘構造に限られず、ユーザが希望に応じて種々の方法および構造で簡単に再封緘可能なものである。具体的には、図４（Ａ）に示すように、一対の第１フラップ１３を第２フラップ１４の上側に重畳させる形態で再封緘したり、図４（Ｂ）に示すように、一対の第２フラップ１４を第１フラップ１３の上側に重畳させる形態で再封緘することが可能である。そして、いずれの再封緘構造としても舌状係止片２４などの腰を弱めることを抑制でき、複数回にわたって再封緘および開封が可能である。
【００３０】
図４（Ａ）に示す再封緘形態とする場合には、まず、図５（Ａ）に示すように、一対の第２フラップ１４を折り曲げた後、図５（Ｂ）に示すように、その上に重畳するように一対の第１フラップ１３を折り曲げる。ついで、第１フラップ１３の傾斜辺１９を第２フラップ１４に向けて押圧することにより、第１フラップ１３の傾斜辺１９の一部を第２フラップ１４の舌状係止片２４の下側に位置させる。これにより、隙間なく簡単に再封緘することができる。
【００３１】
この再封緘状態の包装箱を開封する場合、上側に位置する一対の第２フラップ１４を開いて舌状係止片２４と傾斜辺１９とのロックを解除した後、一対の第１フラップ１３を開くことにより、舌状係止片２４の腰を弱めることなく、簡単に開封できる。
【００３２】
図４（Ｂ）に示す再封緘形態とする場合には、まず、図６（Ａ）に示すように、一対の第１フラップ１３を折り曲げた後、図６（Ｂ）に示すように、その上に重畳するように一対の第２フラップ１４を折り曲げる。ついで、第２フラップ１４の舌状係止片２４を第１フラップ１３に向けて押圧することにより、舌状係止片２４を第１フラップ１３の傾斜辺１９の下側に位置させる。これにより、隙間なく簡単に再封緘することができる。
【００３３】
この再封緘状態の包装箱を開封する場合、上側に位置する一対の第１フラップ１３を開いて舌状係止片２４と傾斜辺１９とのロックを解除した後、一対の第２フラップ１４を開くことにより、舌状係止片２４の腰を弱めることなく、簡単に開封できる。
【００３４】
このように、本発明の包装箱は、形成材料である段ボール紙の腰が弱くなることなく、複数回にわたってユーザの希望に応じて種々の形態で再封緘および開封することができる。しかも、高価なダイカッター方式ではなく、前記傾斜辺１９、罫線２０および舌状係止片２４を形成するための部分型を用いたフレキソグルアなどの汎用加工機による製造を可能とすることができる。
【００３５】
なお、本発明の包装箱は、前記実施形態の構成に限定されるものではなく、種々の変更が可能である。
【００３６】
例えば、前記実施形態では、第１フラップ１３の一側縁にのみ傾斜辺１９を設けるとともに、第２フラップ１４の対応する側にのみ罫線２０および舌状係止片２４を設けたが、図７に示すように、それぞれの両側に設けてもよい。
【００３７】
また、前記実施形態では、第２フラップ１４に形成する罫線２０を、折曲線２１と切断線２２とからなるリード罫により構成したが、折曲線２１のみにより構成してもよい。
【００３８】
さらに、前記実施形態では、短尺な側壁１０Ｂ，１０Ｄに連設するフラップを、傾斜辺１９を有する第１フラップ１３とし、長尺な側壁１０Ａ，１０Ｃに連設するフラップを、罫線および舌状係止片２４を有する第２フラップ１４としたが、長尺な側壁１０Ａ，１０Ｃに連設するフラップを、傾斜辺１９を有する第１フラップ１３とし、短尺な側壁１０Ｂ，１０Ｄに連設するフラップを、罫線２０および舌状係止片２４を有する第２フラップ１４としてもよい。
【００３９】
さらにまた、前記実施形態では、天蓋を構成するフラップを再封緘および開封可能な構造としたが、底蓋を構成するフラップを再封緘および開封可能な構造としてもよい。また、天蓋および底蓋を構成するフラップの両方を再封緘および開封可能な構造としてもよい。さらにまた、再封緘および開封可能な構造を天蓋および底蓋のいずれか一方に適用する場合、他方は別体の蓋体により閉塞する構成としてもよい。
【図面の簡単な説明】
【００４０】
【図１】本発明の包装箱を示し、（Ａ）は開封状態を示す斜視図、（Ｂ）は一封緘状態を示す斜視図である。
【図２】包装箱のブランクを示す平面図である。
【図３】（Ａ），（Ｂ）は図１（Ｂ）の封緘状態とするための封緘方法を示す斜視図である。
【図４】（Ａ），（Ｂ）は他の封緘状態を示す斜視図である。
【図５】（Ａ），（Ｂ）は図４（Ａ）の封緘状態とするための封緘方法を示す斜視図である。
【図６】（Ａ），（Ｂ）は図４（Ｂ）の封緘状態とするための封緘方法を示す斜視図である。
【図７】包装箱の変形例のブランクを示す平面図である。
【符号の説明】
【００４１】
１０Ａ〜１０Ｄ…側壁
１３…第１フラップ
１４…第２フラップ
１９…傾斜辺
２０…罫線
２３…重畳部
２４…舌状係止片
【図１】
2005225509.tif 000003
【図２】
2005225509.tif 000004
【図３】
2005225509.tif 000005
【図４】
2005225509.tif 000006
【図５】
2005225509.tif 000007
【図６】
2005225509.tif 000008
【図７】
2005225509.tif 000009